(57)【特許請求の範囲】
【請求項１】
前方側から被洗髪者の頭部を挿入可能な洗髪槽と、該洗髪槽内へ温水を噴射し、被洗髪者の頭髪を洗髪する洗髪手段とを備えた自動洗髪機において、
上記洗髪槽内で被洗髪者の頭部を支持する頭部支持具を備え、
上記頭部支持具は、
洗髪槽の底面に一端が取り付けられた支持脚と、該支持脚の他端に取り付けられ被洗髪者の後頭部に当接して頭部を支持する頭部支持棒とを有し、該支持脚の一端を軸として前後方向に回動し、洗髪槽の底面より起立した起立状態と、洗髪槽の底面に平行に倒伏した倒伏状態をとることを特徴とする自動洗髪機。
【請求項２】
請求項１記載の自動洗髪機において、
上記洗髪槽は、後方側に底の深い部分を有するものであり、
上記頭部支持棒は、上記頭部支持具を倒伏状態とした状態で、被洗髪者の髪を受けて洗髪槽の底の深い部分に垂らす髪受けとして用いられることを特徴とする自動洗髪機。
【請求項３】
請求項１または請求項２のいずれかに記載の自動洗髪機において、
上記頭部支持具は、被洗髪者の頭部に当接する部分に緩衝材を備えたことを特徴とする自動洗髪機。
【請求項４】
請求項１ないし請求項３のいずれかに記載の自動洗髪機において、
上記洗髪手段は、洗髪槽の内壁に固定され、被洗髪者の後頭部，及び側頭部の頭髪に向けて温水を噴射する複数のシャワーノズル、及び、洗髪槽の後縁部の上面に固定され、被洗髪者の前頭部の頭髪に向けて温水を噴射するオーバーヘッドシャワーノズルであることを特徴とする自動洗髪機。
【発明の詳細な説明】
【０００１】
【発明の属する技術分野】
本発明は、被洗髪者の頭髪を洗髪する自動洗髪機に関し、特に被洗髪者の首に大きな負担を与えることなく被洗髪者の襟足部を十分に洗うことのできる自動洗髪機に関するものである。
【０００２】
【従来の技術】
図９は、従来の自動洗髪機の洗髪槽の部分を示す断面側面図であり、図において、２０１は洗髪槽、２０２は洗髪槽２０１の内壁に設けられた温水を噴射するシャワーノズル、２０３は被洗髪者の前頭部に温水を噴射するオーバーヘッドシャワーノズル、２０４は洗髪槽２０１の前方部の側壁に設けられた首置き部である。
【０００３】
従来の自動洗髪機では、図９に示すように、被洗髪者を仰向けに寝かせた姿勢で首置き部２０４に被洗髪者の首を置き、頭部を洗髪槽２０１内に挿入した状態でシャワーノズル２０２，及びオーバーヘッドシャワーノズル２０３より被洗髪者の頭髪に向けてシャンプー，温水等を噴射して洗髪を行う。このとき、被洗髪者の首の部分は首置き部２０４に覆われた状態となるため、シャワーノズル２０２から噴射される温水は被洗髪者の襟足部分に当たらず、襟足部分は十分に洗うことができない。また、襟足部分をよく洗うために、図１０に示すように、頭部を洗髪槽２０１内に深く挿入した状態とすると、洗髪槽内で頭部を支えるのに被洗髪者の首に大きな負担がかかる。
【０００４】
【発明が解決しようとする課題】
上記のように従来の自動洗髪機では、襟足部分までよく洗うために、被洗髪者の頭部を洗髪槽内に深く挿入した状態とすると、洗髪槽内で頭部を支えるのに被洗髪者の首に大きな負担がかかるという問題があった。
【０００５】
本発明は、上記の問題を解消するためになされたものであり、被洗髪者の首に大きな負担を与えることなく被洗髪者の襟足部を十分に洗うことのできる自動洗髪機を提供することを目的とする。
【０００６】
【課題を解決するための手段】
上記目的を達成するため、本発明の請求項１にかかる自動洗髪機は、被洗髪者の頭部を挿入可能な洗髪槽と、該洗髪槽内へ温水を噴射し、被洗髪者の頭髪を洗髪する洗髪手段とを備えた自動洗髪機において、上記洗髪槽内で被洗髪者の頭部を支持する頭部支持具を備え、上記頭部支持具が、洗髪槽の底面に一端が取り付けられた支持脚と、該支持脚の他端に取り付けられ被洗髪者の後頭部に当接して頭部を支持する頭部支持棒とを有し、該支持脚の一端を軸として前後方向に回動し、洗髪槽の底面より起立した起立状態と、洗髪槽の底面に平行に倒伏した倒伏状態をとるものとしたものである。
【０００９】
また、本発明の請求項２にかかる自動洗髪機は、請求項１記載の自動洗髪機において、上記洗髪槽が、後方側に底の深い部分を有するものであり、上記頭部支持棒が、上記頭部支持具を倒伏状態とした状態で、被洗髪者の髪を受けて洗髪槽の底の深い部分に垂らす髪受けとして用いられるものである。
【００１０】
また、本発明の請求項３にかかる自動洗髪機は、請求項１または請求項２のいずれかに記載の自動洗髪機において、上記頭部支持具が、被洗髪者の頭部に当接する部分に緩衝材を備えたものである。
【００１１】
また、本発明の請求項４にかかる自動洗髪機は、請求項１ないし請求項３のいずれかに記載の自動洗髪機において、上記洗髪手段が、洗髪槽の内壁に固定され、被洗髪者の後頭部，及び側頭部の頭髪に向けて温水を噴射する温水を噴射する複数のシャワーノズル、及び、洗髪槽の後縁部の上面に固定され、被洗髪者の前頭部の頭髪に向けて温水を噴射するオーバーヘッドシャワーノズルであるものである。
【００１２】
【発明の実施の形態】
実施の形態１．
以下、本発明の実施の形態１による自動洗髪機を図について説明する。
図１は本発明の実施の形態１による自動洗髪機の洗髪槽の部分を斜め上方から見た図であり、図２は図１中のI−I’線で切った洗髪槽の部分の正面断面図である。図において、１０１は被洗髪者の頭部が挿入される洗髪槽である。また、１０２，１０３は洗髪槽内へ温水を噴射し、被洗髪者の頭髪を洗髪する洗髪手段であり、１０２は洗髪槽１０１の内壁に設けられ、被洗髪者の後頭部，及び側頭部の頭髪に向けて温水を噴射する温水を噴射するシャワーノズル、１０３は洗髪槽１０１の後縁部の上面に設けられ、被洗髪者の前頭部の頭髪に向けて温水を噴射する略コの字形状のオーバーヘッドシャワーノズルである。また、１０４は洗髪槽１０１の前方部の側壁に設けられた首置き部である。１１０は洗髪槽１０１内に設けられた頭部支持具であり、１１１は支持脚、１１２は頭部支持棒、１１３は頭部支持棒１１２を覆って設けられた緩衝材である。
【００１３】
図３は頭部支持具１１０が洗髪槽１０１に取付けられている部分を拡大して示す図である。図において、図２と同一符号は同一または相当部分であり、１２０は支持軸、１２１はワッシャ、１２２はパッキングである。図４は頭部支持具の動きを説明するための図であり、図において、支持脚１１１の前側の下端には回動ストッパ部１３０が設けられている。また、支持脚１１１の後側の下端１３１はラウンド形状になっている。支持脚１１１は支持軸１２０を回動の中心として回動し、頭部支持具１１０を、図４中の破線で示す倒伏状態、及び回動ストッパ部１３０の底面が洗髪槽１０１の底面１３２に当接する回動停止位置、すなわち、図４中の実線で示す起立状態の２つの状態とすることができる。図５は本実施の形態１による自動洗髪機において頭部支持具１１０を倒伏状態としたときの洗髪槽の部分を斜め上方から見た図である。
【００１４】
次に動作について説明する。
本実施の形態１による自動洗髪機では、図６に示すように、被洗髪者を仰向けに寝かせた姿勢で首置き部１０４に被洗髪者の首を置き、頭部を洗髪槽１０１内に挿入させた状態でシャワーノズル１０２，及びオーバーヘッドシャワーノズル１０３より被洗髪者の頭髪に向けてシャンプー，温水等を噴射して洗髪を行う。このとき、頭部支持具１１０を起立状態とし、頭部支持棒１１２で被洗髪者の後頭部を支持する。ここで、頭部支持具１１０は回動ストッパ部１３０により、図４に示すように支持脚１１１が垂直状態よりもやや前倒しとなる状態で回動停止されて起立状態となるので、被洗髪者が頭部を乗せたときに後方に倒れ難い。このように被洗髪者の後頭部を頭部支持具１１０で支えることにより、襟足部分をよく洗うために、頭部を洗髪槽１０１内に深く挿入した場合でも、被洗髪者の首に大きな負担はかからない。頭部支持棒１１２にはウレタンゴム等からなる緩衝材１１３が巻かれているので、頭部支持棒１１２が後頭部に当ることによる被洗髪者の苦痛を緩和することができる。
【００１５】
洗髪手段１０２，１０３による自動洗髪の後、洗髪施術者が手作業により洗髪の仕上げを行う場合は、図５に示すように頭部支持具１１０を後方に倒した倒伏状態として、仕上げの作業を行なう。
【００１６】
このように、本実施の形態１による自動洗髪機では、被洗髪者の頭部を挿入可能な洗髪槽１０１と、該洗髪槽１０１内へ温水を噴射し、被洗髪者の頭髪を洗髪するシャワーノズル１０２，１０３とを備えた自動洗髪機において、洗髪槽１０１内に起倒自在に取付けられた、被洗髪者の頭部を支持する頭部支持具１１０を備えた構成としたから、被洗髪者の首に大きな負担を与えることなく被洗髪者の襟足部を十分に洗うことができる。
【００１７】
なお、本実施の形態１による自動洗髪機では、自動洗髪時に頭部支持具１１０を起立状態として頭部支持棒１１２で被洗髪者の頭部を支える代わりに、自動洗髪時に頭部支持具１１０を図５に示すように後方に倒した倒伏状態として、頭部支持棒１１２を頭髪の長い被洗髪者の頭髪受けとして使用することができる。頭髪の長い被洗髪者を自動洗髪機により洗髪する場合、洗髪槽内底に垂れ下がる被洗髪者の頭髪が洗髪槽内壁に付き、被洗髪者に不快感を与えていたため、従来の自動洗髪機では、洗髪槽内に被洗髪者の頭髪をのせる網状の頭髪置きを設け、被洗髪者の頭髪が洗髪槽内壁に付くことを防止していたが、この場合、被洗髪者の頭髪は網状の頭髪置きの上に無秩序に散らばるため、洗髪中に複数のシャワーノズルから噴出されるシャワーにより被洗髪者の頭髪が激しく絡んでしまい、洗髪終了後の整髪時に大きな問題となっていた。本実施の形態による自動洗髪機では、図７に示すように、頭部支持具１１０は洗髪槽１０１の底の浅い部分１０１ａの底面に取り付けられており、頭部支持具１１０を後方に倒した倒伏状態としたとき、頭部支持棒１１２が洗髪槽１０１の底の深い部分１０１ｂの上方に突出するようになっている。本実施の形態による自動洗髪機では、頭髪の長い被洗髪者を洗髪する場合、図７に示すように、頭部支持具１１０を後方に倒した倒伏状態とし、洗髪槽１０１の底の深い部分１０１ｂの上方に突出した頭部支持棒１１２に長髪を掛けて洗髪槽１０１の底の深い部分に垂らすことにより、被洗髪者の頭髪が洗髪槽内壁に付くことを防止でき、また、洗髪シャワーが強くなった場合においても被洗髪者の頭髪が散らばり難いので、洗髪時の噴出されるシャワーによる被洗髪者の頭髪の縮れや絡みを防ぐことができ、洗髪後の整髪を容易とできる。
【００１８】
また、上記実施の形態１では、頭部支持具１１０を洗髪槽１０１内に起倒自在に取付けた構成のものとしたが、頭部支持具は洗髪時に被洗髪者の頭部を洗髪槽内で支持することができるものであればどのような構成のものであってもよく、例えば、図８に示すような別置き式の頭部支持ユニット１５０を用意し、洗髪時にこの頭部支持ユニット１５０を洗髪槽１０１の前方の底面に配置する構成としてもよい。
【００１９】
【発明の効果】
以上のように、本発明の自動洗髪機によれば、被洗髪者の頭部を挿入可能な洗髪槽と、該洗髪槽内へ温水を噴射し、被洗髪者の頭髪を洗髪する洗髪手段とを備えた自動洗髪機において、洗髪槽内に被洗髪者の頭部を支持する頭部支持具を備えた構成としたから、被洗髪者の首に大きな負担を与えることなく被洗髪者の襟足部を十分に洗うことができる効果がある。
【図面の簡単な説明】
【図１】本発明の実施の形態１による自動洗髪機の洗髪槽の部分を斜め上方から見た図である。
【図２】図１のI−I’断面の断面図である。
【図３】頭部支持具１１０が洗髪槽１０１に取付けられている部分を拡大して示す図である。
【図４】頭部支持具の動きを説明するための図である。
【図５】頭部支持具１１０を倒伏状態としたときの洗髪槽の部分を斜め上方から見た図である。
【図６】本発明の実施の形態１による自動洗髪機の洗髪動作を説明するための図である。
【図７】本発明の実施の形態１による自動洗髪機で長髪の被洗髪者の洗髪をするときの様子を示す図である。
【図８】頭部支持具の他の例を示す図である。
【図９】従来の自動洗髪機において被洗髪者が頭部を浅く洗髪槽に挿入して洗髪を行う様子を示す図である。
【図１０】従来の自動洗髪機において被洗髪者が頭部を深く洗髪槽に挿入して洗髪を行う様子を示す図である。
【符号の説明】
１０１  洗髪槽
１０２  シャワーノズル
１０３  オーバーヘッドシャワーノズル
１０４  首置き部
１１０  頭部支持具
１１１  支持脚
１１２  頭部支持棒
１１３  緩衝材
１２０  支持軸
１２１  ワッシャ
１２２  パッキング
１３０  ストッパ部
１３１  ラウンド部
１３２  洗髪槽の底面
１５０  頭部支持ユニット
【図１】
0004514311.tif 000002
【図２】
0004514311.tif 000003
【図３】
0004514311.tif 000004
【図４】
0004514311.tif 000005
【図５】
0004514311.tif 000006
【図６】
0004514311.tif 000007
【図７】
0004514311.tif 000008
【図８】
0004514311.tif 000009
【図９】
0004514311.tif 000010
【図１０】
0004514311.tif 000011